(57)【要約】【課題】足の甲（表側）と足の裏の両方を、同時に洗うことができ、また浴室内に特別な設置スペースを必要とすることなく安全に利用でき、使い勝手を良くする。【解決手段】腰掛け部１を支持する脚２と脚２の間を開口している風呂椅子であって、上記の腰掛け部１の裏側に、脚２と脚２の間に差し入れる入浴者の足３の甲３ａを洗うためのブラシ部４を設ける。このブラシ部４と対向する下方位置に、足３の裏３ｂを洗うための足裏洗浄用ブラシ部５を備える。【選択図】      図１
2006130097.tif 000002
【特許請求の範囲】
【請求項１】
腰掛け部を支持する脚と脚の間が開口されている風呂椅子であって、上記の腰掛け部の裏側に、脚と脚の間に差し入れられる入浴者の足の甲を洗うためのブラシ部が設けられ、このブラシ部と対向する下方位置に、足の裏を洗うための足裏洗浄用ブラシ部を備えて形成されていることを特徴とする足洗い機能付き風呂椅子。
【請求項２】
請求項１記載の足洗い機能付き風呂椅子であって、蛇口から出る水の水圧エネルギーを回転エネルギーに変換する水車を備え、足裏洗浄用ブラシ部が横向き又は縦向きの軸を中心に回転自在に形成され、この足裏洗浄用ブラシ部の軸と上記の水車の回転軸とが連結され、足裏洗浄用ブラシ部が蛇口から出る水の水圧エネルギーで回転自在に形成されていることを特徴とする足洗い機能付き風呂椅子。
【請求項３】
請求項１又は２記載の足洗い機能付き風呂椅子であって、蛇口から出る水の水圧エネルギーを回転エネルギーに変換する第２水車を備え、足の甲を洗うためのブラシ部が横向き又は縦向きのブラシ部用軸を中心に回転自在に形成され、このブラシ部のブラシ部用軸と上記の第２水車の回転軸とが連結され、ブラシ部が蛇口から出る水の水圧エネルギーで回転自在に形成されていることを特徴とする足洗い機能付き風呂椅子。
【発明の詳細な説明】
【技術分野】
【０００１】
本発明は、主として浴室で使用する足洗い機能付き風呂椅子に関し、更に詳しくは入浴者が足先（足首から下の部分）を洗うことができるよう形成した足洗い機能付き風呂椅子に関するものである。
【背景技術】
【０００２】
従来この種の風呂椅子としては、例えばブラシや軽石等でなる足洗い器具を着脱自在に備えて形成されているものがある（例えば特許文献１参照）。
また風呂場等に設置して足を洗う器具としては、例えばケーシング内に足置き台を設け、この足置き台に対応させてローラブラシを配置すると共に、足置き台の上方にシャワーノズルを配置し、ケーシングの足挿入口部分に防水カーテンを配置したことを特徴とするものがある（例えば特許文献２参照）。
【０００３】
しかしながら、特許文献１記載の従来品の場合は、足洗い器具が椅子の外面に着脱自在に取り付けられているだけであったから、これによると、足を足洗い器具に擦り付けたときは足の裏だけしか洗うことができず、足の裏と甲（表側）の両方を、同時に洗うことができなかった。
また特許文献２記載の従来品は、ローラブラシの回転用の駆動機構が必要になるため、これによると嵩張って大型化し、値段が高く付くことになるのを避けられず、またこれを例えば浴室に置いて使用する場合は、浴室内に特別の設置スペースが必要になる、という問題点があった。しかもこの従来品は、足置き台に足を載せてローラブラシで足の甲や踵を洗うものであるため、これによると特許文献１に係る従来品の場合と同様、足の甲と足の裏の両方を、同時に洗うことができなかった。
【特許文献１】特開平１１−３４６９４８号公報
【特許文献２】特公平８−２２３０４号公報
【発明の開示】
【発明が解決しようとする課題】
【０００４】
本発明は、このような従来技術の問題点に鑑み、提案されたものである。
従って本発明の解決しようとする技術的課題は、足の甲（表側）と足の裏の両方を、同時に洗うことができ、また浴室内に特別な設置スペースを必要とすることなく安全に利用でき、使い勝手が良くなるよう形成した足洗い機能付き風呂椅子を提供することにある。
【課題を解決するための手段】
【０００５】
本発明は、上記の課題を解決するため、次のような技術的手段を採る。
即ち本発明は、図１等に示されるように、腰掛け部１を支持する脚２と脚２の間が開口されている風呂椅子であって、上記の腰掛け部１の裏側に、脚２と脚２の間に差し入れられる入浴者の足３の甲３ａを洗うためのブラシ部４が設けられ、このブラシ部４と対向する下方位置に、足３の裏３ｂを洗うための足裏洗浄用ブラシ部５を備えて形成されていることを特徴とする（請求項１）。
【０００６】
本発明の場合、脚２は腰掛けの四隅に設けられているのでも、或いは前後又は左右の側部の位置に、前後一対状又は左右一対状に対向して設けられているのでも良い。ブラシ部４及び足裏洗浄用ブラシ部５は、具体的には合成樹脂繊維などで刷毛状に形成されたり、或いは海綿状のゴムや、合成樹脂製品（スポンジ）によって形成される。足裏洗浄用ブラシ部５は、軽石で形成されているのでも良い。
【０００７】
また請求項１記載の本発明は、図４等に示されるように、蛇口７から出る水の水圧エネルギーを回転エネルギーに変換する水車８を備え、足裏洗浄用ブラシ部５が横向き又は縦向きの軸５ａを中心に回転自在に形成され、この足裏洗浄用ブラシ部５の軸５ａと上記の水車８の回転軸８ａとが連結され、足裏洗浄用ブラシ部５が蛇口７から出る水の水圧エネルギーで回転自在に形成されているのが好ましい（請求項２）。
【０００８】
なぜならこれによると、入浴者は足３を自分で動かすことなく、足３の裏３ｂを楽に、しかも電気エネルギーによるものではないため、水気のある浴室でも感電の危険なく、安全に利用できるからである。この場合、蛇口７が湯水混合水栓の場合は、温水を利用して足先を温めながら洗浄できる。なお本発明の場合、蛇口７から出る水の水圧エネルギーを利用するには、通常、ホース１１が使用される。即ち、ホース１１の一端が蛇口７の吐水口に、他端が本発明品の脚２や腰掛け部１の適宜位置に設けられている水流入部１０に接続されることで実現される。また本発明の場合、足裏洗浄用ブラシ部５の軸５ａと水車８の回転軸８ａとは、直接連結される場合には限られず、例えばベルトや歯車伝動機構を介して連結されるのでも良い。
【０００９】
また請求項１又は２に係る本発明品は、図８〜図１３に示されるように、蛇口７から出る水の水圧エネルギーを回転エネルギーに変換する第２水車１３を備え、足３の甲３ａを洗うためのブラシ部４が横向き又は縦向きのブラシ部用軸４ａを中心に回転自在に形成され、このブラシ部４のブラシ部用軸４ａと上記の第２水車１３の回転軸１３ａとが連結され、ブラシ部４が蛇口７から出る水の水圧エネルギーで回転自在に形成されているのでも良い（請求項３）。
【００１０】
なぜならこれによると、入浴者が、ブラシ部４によって足３の甲３ａを、又は足３の甲３ａと裏３ｂの両方を、自分で足３を動かすことなく楽に、しかも感電の危険もなく安全に洗うことができるからである。ここで、第２水車１３とは、２つ目の水車ということを意味する。またここで、ブラシ部用軸４ａと第２水車１３の回転軸１３ａとの連結の仕方は、請求項２に係る本発明の場合と同様、直接連結される場合には限られず、他の手段を介して連結されるのでも良い。
【発明の効果】
【００１１】
本発明の風呂椅子は、このように腰掛け部の裏側に、脚と脚の間に差し入れられる入浴者の足の甲を洗うためのブラシ部を設け、このブラシ部と対向する下方位置に、足の裏を洗うための足裏洗浄用ブラシ部を備えてなるものである。
従って本発明の風呂椅子は、常時は椅子として使用するものであるから、浴室内に特別な設置スペースを必要とすることなく、また保管や収納用の特別なスペースを必要とすることなく、足を洗いたいときは足先を腰掛け部の下側に差し入れて動かすことで、身体をかがめることなく、楽な姿勢で足先を洗うことができる。
それ故これによれば、身体をかがめて足先を一人では洗うことができない、高齢者や身体の不自由な人でも、例えば浴槽のフランジ部等に腰掛けて本発明品を利用し、一人で足先を洗うことが可能になる。
【発明を実施するための最良の形態】
【００１２】
以下、本発明を実施するための最良の形態を説明する。
図１等において、１は腰掛け部であり、２はこの腰掛け部１を支持する脚である。脚２は、この実施形態では腰掛け部１の両側に対向して壁状に一対設けられ、脚２と脚２の間は開口されている。
【００１３】
上記の腰掛け部１の裏側には、脚２と脚２の間に差し入れられる入浴者の足３の甲３ａを洗うためのブラシ部４が設けられている。このブラシ部４は、この実施形態では合成樹脂繊維が束ねられ、先端を下向きにして腰掛け部１の下面の全体に植えつけられることにより形成されている。
【００１４】
また本発明品は、ブラシ部４と対向する下方位置に、足３の裏３ｂを洗うための足裏洗浄用ブラシ部５を備えて形成されている。６は、脚２の下部に、脚２と脚２の間に水平状に渡されて設けられている下板である。足裏洗浄用ブラシ部５は、この下板６に、足３の甲３ａを洗うためのブラシ部４よりも硬い合成樹脂繊維が束ねられ、先端を上向きにして、且つ下板６のほぼ全体に植えつけられることにより形成されている。
【００１５】
次に本発明の風呂椅子の使用例を説明する。
入浴者は、図１に示されるように、足先を腰掛け部１の下側に差し入れ、足先を例えば前後、左右に動かし、ブラシ部４に足３の甲３ａを、足裏洗浄用ブラシ部５に足３の裏３ｂを擦りつける。これにより、足３の甲３ａと裏３ｂの汚れが、ブラシ部４及び足裏洗浄用ブラシ部５によって除去されるものである。
【００１６】
以上の処において、本発明は、図４等に示されるように、蛇口７から出る水の水圧エネルギーを回転エネルギーに変換する水車８を備え、足裏洗浄用ブラシ部５が横向き又は縦向きの軸５ａを中心に回転自在に形成され、この足裏洗浄用ブラシ部５の軸５ａと上記の水車８の回転軸８ａとが連結され、足裏洗浄用ブラシ部５が蛇口７から出る水の水圧エネルギーで回転自在に形成されているのでも良い。
【００１７】
水車８は、差し込まれる足３が羽根に接触しないよう、一方の脚２の収納室９に、この実施形態では回転軸８ａを横にして、図４、図６、図７に示されるように、水平に並べられて一対備えられている。１０は、ホース１１が接続される水流入部である。この水流入部１０は、一方の脚２の胴部中央位置に露出状に形成されている。ホース１１は、蛇口７に一端が接続されると共に、他端がこの水流入部１０に接続されている。水流入部１０は、一方の脚２の内部に形成されている通水路１２に連通され、この通水路１２は各水車８に水を供給可能になるよう、二股状に分岐されている（図４、図６参照）。
【００１８】
この実施形態に係る本発明の場合、足裏洗浄用ブラシ部５は、水車８の回転軸８ａに合わせて軸５ａが横向きに配置され、この軸５ａの両端が脚２に枢着されると共に、軸５ａの一端が水車８の回転軸８ａに直接連結されている。また足裏洗浄用ブラシ部５は、水車８の配置位置に合わせて、脚２と脚２の間の前後位置に水平に渡されて平行一対状に横架されている。また足裏洗浄用ブラシ部５は、軸５ａの周りに、例えば合成樹脂繊維が束ねられて多数植えつけられ、円柱形（丸棒形）に形成されている。
【００１９】
而してこの本発明品の場合は、蛇口７をひねると、水が、ホース１１、水流入部１０、通水路１２を流れて収納室９内の水車８の羽根に勢い良く当り、この水車８を回転させる。水車８の回転軸８ａと、足裏洗浄用ブラシ部５の軸５ａとは、連結されているから、水車８が回ると足裏洗浄用ブラシ部５が回転する。これにより入浴者は、足３の裏３ｂを、足裏洗浄用ブラシ部５によって自動で洗うことができる。なお収納室９内に流入した水は、収納室９の下部に形成されている開口箇所から排水される。
【００２０】
また本発明品は、足裏洗浄用ブラシ部５が回転するのに代え、図８等に示されるように、ブラシ部４が回転するよう形成されているのでも良い。
即ちこの本発明は、図８〜図１２に示されるように、蛇口７から出る水の水圧エネルギーを回転エネルギーに変換する第２水車１３を備え、足３の甲３ａを洗うためのブラシ部４が横向き又は縦向きのブラシ部用軸４ａを中心に回転自在に形成され、このブラシ部４のブラシ部用軸４ａと上記の第２水車１３の回転軸１３ａとが連結され、ブラシ部４が蛇口７から出る水の水圧エネルギーで回転自在に形成されているものである。
【００２１】
この実施形態の場合、第２水車１３は、腰掛け部１の中央位置に形成されている第２収納室１４に、回転軸１３ａを縦向きにして１個収納されている。ブラシ部４は、この第２水車１３の回転軸１３ａの向きに合わせて、この実施形態ではブラシ部用軸４ａを縦向きにして腰掛け部１に枢着されている。ブラシ部４は、具体的には、円形の水平板４ｂと、この水平板４ｂに例えば合成樹脂繊維が束ねられて先端を下向きにして植えつけられている植毛部４ｃとで形成され、水平板４ｂはその中心位置にブラシ部用軸４ａが一体状に固定されている。
【００２２】
蛇口７にホース１１で接続される水流入部１０は、この実施形態では脚２の上部側面に露出状に形成されている。またこの水流入部１０に連通され、水を第２収納室１４に導くための通水路１２は、その先端が第２水車１３の羽根に向かって傾斜されると共に、水を勢い良く噴出できるよう先細り状に形成されている。水平板４ｂには、孔１５が適宜位置に複数あけられ、第２収納室１４に流入した水を下方に排水可能に形成されている。
【００２３】
従ってこの実施形態に係る本発明は、蛇口７をひねると、水がホース１１、水流入部１０、通水路１２を流れて、この水の水圧エネルギーで第２水車１３が回転する。すると第２水車１３の回転軸１３ａに連結されているブラシ部４が、ブラシ部用軸４ａを中心に回転し、足３の甲３ａを洗浄するものである。
【００２４】
而して本発明は、上記の足裏洗浄用ブラシ部５が、このようなブラシ部４と同様に、軸５ａを縦向きにして回転するよう構成されているのでも良い。また本発明は、ブラシ部４が、図４等に示される足裏洗浄用ブラシ部５と同様に、ブラシ部用軸４ａを横にして回転するよう構成されているのでも良い。
【００２５】
また本発明は、足裏洗浄用ブラシ部５やブラシ部４が、軸５ａやブラシ部用軸４ａを横向きにして回転するよう形成される場合、その構成は任意であり、上記したような平行一対状に形成される場合には限られない。即ち、足裏洗浄用ブラシ部５やブラシ部４は、例えば１個だけでも、或いは例えば図１１、図１２に示されるように、４個の回転ブラシ４ｄを備えて構成されるのでも良い。
以下、説明上、足３の甲３ａを洗うためのブラシ部４について説明するが、本発明は足裏洗浄用ブラシ部５を同様に構成するのでも良い。
【００２６】
即ちこの実施形態に係る本発明品は、図１１等に示されるように、第２水車１３が、回転軸１３ａを横向きにして、腰掛け部１の中央位置に、図１１において前側と後側に設けられている。またブラシ部４は、第２水車１３を挟んでその両側に、ブラシ部用軸４ａを横向きにして、同図において左右一対状に配置された回転ブラシ４ｄを、計４個備えて形成されているものである。なお１６は、第２収納室１４を形成すると共に、第２水車１３を覆う機能を持つカバーである。水流入部１０と連通する通水路１２は、第２水車１３を夫々回転させることができるよう、腰掛け部１の例えば中央位置で分岐されている（図１２参照）。
なお本発明が、このように水車８や第２水車１３を複数備える場合は、通水路１２を分岐するのに代え、ベルトやギア伝動機構によって、他の水車８や他の第２水車１３を回転させるよう構成されるのでも良い。
【００２７】
更に本発明は、図１３に示されるように、足裏洗浄用ブラシ部５とブラシ部４の両方が、回転可能に形成されるのでも良い。
この実施形態に係る本発明の場合は、足裏洗浄用ブラシ部５が、図４に示される状態に、ブラシ部４は、図８に示される状態に構成されている。即ち足裏洗浄用ブラシ部５は、軸５ａを横向きにして回転され、ブラシ部４は、ブラシ部用軸４ａが縦向きに配置されて回転するよう構成されている。水流入部１０に連通されている通水路１２は、分岐部１７を介して足裏洗浄用ブラシ部５の収納室９とブラシ部４の第２収納室１４に、水を供給可能に分岐されている。その他の構成は、上例と同様であるので、同一箇所、同一部材については同一の符号を付し、詳しい説明は省略する。この本発明によると、足３の甲３ａと裏３ｂを、自動的に且つ同時に洗うことができ、一層、使い勝手が良くなる、という利点がある。
【図面の簡単な説明】
【００２８】
【図１】本発明の風呂椅子の好適な一実施形態を示す使用状態時の斜視図である。
【図２】同上風呂椅子の正面図である。
【図３】図２のＩＩＩ−ＩＩＩ線における使用状態時の断面図である。
【図４】同上風呂椅子の他の実施形態を示す斜視図である。
【図５】図４に示す本発明品の正面図である。
【図６】図５のＶＩ−ＶＩ線における断面図である。
【図７】図５のＶＩＩ−ＶＩＩ線における断面図である。
【図８】本発明の風呂椅子の更に他の実施形態を示す斜視図である。
【図９】図８に示す本発明品の側面図である。
【図１０】図９のＸ−Ｘ線における断面図である。
【図１１】本発明の風呂椅子の更に他の実施形態を示す正面図である。
【図１２】図１１のＸＩＩ−ＸＩＩ線における断面図である。
【図１３】本発明の風呂椅子の更に他の実施形態を示す正面図である。
【符号の説明】
【００２９】
１    腰掛け部
２    脚
３    入浴者の足
３ａ  足の甲
３ｂ  足の裏
４    ブラシ部
５    足裏洗浄用ブラシ部
【図１】
2006130097.tif 000003
【図２】
2006130097.tif 000004
【図３】
2006130097.tif 000005
【図４】
2006130097.tif 000006
【図５】
2006130097.tif 000007
【図６】
2006130097.tif 000008
【図７】
2006130097.tif 000009
【図８】
2006130097.tif 000010
【図９】
2006130097.tif 000011
【図１０】
2006130097.tif 000012
【図１１】
2006130097.tif 000013
【図１２】
2006130097.tif 000014
【図１３】
2006130097.tif 000015